(57)【要約】【課題】携帯型情報処理装置の拡張ユニット接続構造の提供。【解決手段】携帯型情報処理装置において接続コネクタと切換モジュールが包含され、当該接続コネクタには第一インターフェースと第二インターフェースが包含され、ディスプレイ処理装置をして第一インターフェースに接続させるか、または拡張ユニットをして第二インターフェースに接続される。接続コネクタでディスプレイ処理装置を接続するに当たり、切換モジュールによってディスプレイ処理装置と携帯型情報処理装置内に内蔵されたディスプレイ処理装置の出力信号切換が可能であり、これによって携帯型情報処理装置は単一の接続コネクタを経てディスプレイ処理装置と拡張ユニットの互換使用が可能となる。【選択図】図５
0003119979.tif 000002
【実用新案登録請求の範囲】
【請求項１】
携帯型情報処理装置の拡張ユニット接続構造において、
携帯型情報処理装置と、
接続コネクタであって、携帯型情報処理装置に接続される接続コネクタであり、第一インターフェースと第二インターフェースを含む。この接続コネクタをもって第一拡張ユニットを第一インターフェースに接続し、第二拡張ユニットを第二インターフェースに接続する、上記接続コネクタと、
を包含することを特徴とする、携帯型情報処理装置の拡張ユニット接続構造。
【請求項２】
請求項１記載の携帯型情報処理装置の拡張ユニット接続構造において、携帯型情報処理装置は拡張スペースを具備しており、当該接続コネクタはこの拡張スペース内に設けられることを特徴とする、携帯型情報処理装置の拡張ユニット接続構造。
【請求項３】
請求項１記載の携帯型情報処理装置の拡張ユニット接続構造において、第一インターフェースはＰＣＩ−Ｅｘｐｒｅｓｓ、ＰＣＩ、ＡＧＰ規格を指すことを特徴とする、携帯型情報処理装置の拡張ユニット接続構造。
【請求項４】
請求項１記載の携帯型情報処理装置の拡張ユニット接続構造において、第二インターフェースはIDE またはＩＳＡ規格を指すことを特徴とする、携帯型情報処理装置の拡張ユニット接続構造。
【請求項５】
請求項１記載の携帯型情報処理装置の拡張ユニット接続構造において、第一拡張ユニットはディスプレイ処理装置を指すことを特徴とする、携帯型情報処理装置の拡張ユニット接続構造。
【請求項６】
請求項５記載の携帯型情報処理装置の拡張ユニット接続構造において、ディスプレイ処理装置には切換モジュールが電気的に接続されており、ディスプレイ処理装置と携帯型情報処理装置に内蔵されたディスプレイ処理装置へのシグナル送信切換を行うことを特徴とする、携帯型情報処理装置の拡張ユニット接続構造。
【請求項７】
請求項６記載の携帯型情報処理装置の拡張ユニット接続構造において、切換モジュールは電子開閉装置を指すことを特徴とする、携帯型情報処理装置の拡張ユニット接続構造。
【請求項８】
請求項１記載の携帯型情報処理装置の拡張ユニット接続構造において、第一拡張ユニットはＰＣＩ−Ｅｘｐｒｅｓｓインターフェース装置を指すことを特徴とする、携帯型情報処理装置の拡張ユニット接続構造。
【請求項９】
請求項１記載の携帯型情報処理装置の拡張ユニット接続構造において、第二拡張ユニットは光学文字読取装置を指すことを特徴とする、携帯型情報処理装置の拡張ユニット接続構造。
【請求項１０】
請求項１記載の携帯型情報処理装置の拡張ユニット接続構造において、携帯型情報処理装置はノートブック式コンピュータを指すことを特徴とする、携帯型情報処理装置の拡張ユニット接続構造。
【請求項１１】
携帯型情報処理装置の拡張ユニット接続構造において、
携帯型情報処理装置と、
携帯型情報処理装置に接続される第一ディスプレイ処理装置と、
接続コネクタであって、携帯型情報処理装置に接続され、第一インターフェースと第二インターフェースを包含し、この接続コネクタをもって第二ディスプレイ処理装置を第一インターフェースに接続し、拡張ユニットを第二インターフェースに接続する、上記接続コネクタと、
切換モジュールであって、接続コネクタと電気的に接続されており、この接続コネクタでもってディスプレイ処理装置と接続され、第一ディスプレイ処理装置と第二ディスプレイ処理装置へのシグナル発信の切換を行う、切換モジュールと、
を包含したことを特徴とする、携帯型情報処理装置の拡張ユニット接続構造。
【請求項１２】
請求項１１項記載の携帯型情報処理装置の拡張ユニット接続構造において、携帯型情報処理装置は拡張スペースを具備しており、当該接続コネクタはこの拡張スペース内に設けられることを特徴とする、携帯型情報処理装置の拡張ユニット接続構造。
【請求項１３】
請求項１１記載の携帯型情報処理装置の拡張ユニット接続構造において、第一インターフェースはＰＣＩ−Ｅｘｐｒｅｓｓ、ＰＣＩ、ＡＧＰ規格を指すことを特徴とする、携帯型情報処理装置の拡張ユニット接続構造。
【請求項１４】
請求項１１記載の携帯型情報処理装置の拡張ユニット接続構造において、第二インターフェースはＩＤＥ規格を指すことを特徴とする、携帯型情報処理装置の拡張ユニット接続構造。
【請求項１５】
請求項１１記載の携帯型情報処理装置の拡張ユニット接続構造において、切換モジュールは電子開閉装置を指すことを特徴とする、携帯型情報処理装置の拡張ユニット接続構造。
【請求項１６】
請求項１１記載の携帯型情報処理装置の拡張ユニット接続構造において、拡張ユニットは光学文字読取装置を指すことを特徴とする、携帯型情報処理装置の拡張ユニット接続構造。
【請求項１７】
請求項１１記載の携帯型情報処理装置の拡張ユニット接続構造において、携帯型情報処理装置はノートブック式コンピュータを指すことを特徴とする、携帯型情報処理装置の拡張ユニット接続構造。
【考案の詳細な説明】
【技術分野】
【０００１】
本出願案件は携帯型情報処理装置の拡張ユニット接続構造に関するものであり、携帯型情報処理装置が接続コネクタと切換モジュールの作用を経て、ディスプレイ処理装置または拡張ユニットの互換使用を可能とする構造である。
【背景技術】
【０００２】
情報技術の発展にともない、携帯型情報処理装置は広汎に使用されている情報関連製品である。その持ち運び自由な機動性から、使用者は外出中にあっても携帯型情報処理装置を通して電子メールを送信でき、文書報告を作成でき、一般データを処理できることから、利便性と効率性を発揮している。
【０００３】
携帯型情報処理装置が使用者に多大な効用をもたらしているとはいえ、携帯型情報処理装置の「軽」、「薄」といった特性のため卓上型コンピュータに比して空間容量が不足しがちであり、製造業者が携帯型情報処理装置を生産するに当たり極力基本的な配備のみを設けることになりがちとなる。そのため、使用者がハード設備を別途拡張しようと思えば、内部空間不足という限界にぶつかることになる。第１図は台湾における「特許文献１」、ハードディスクドライブとソフトディスクドライブ互換可能の携帯型コンピュータだが、その携帯型コンピュータ１' の内部に出し入れ口１０' を設け、その中にソフト接続コネクタ１２' とハード接続コネクタ１４' を設けることにより、出し入れ口１０' を通してソフトとハード両ディスクドライブに接続することを可能にしている。
【０００４】
上述の構造は、携帯型情報処理装置において二つの拡張ユニットの互換使用を可能としているが、３Ｄ−ＣＡＤソフト、３Ｄ映像処理ソフトおよびゲームソフト使用に当たり携帯型情報処理装置における内蔵型ディスプレイ処理装置ではディスプレイ効果が劣り、しかも切換機能がない。以上の理由により、高機能ディスプレイ処理装置と携帯型情報処理装置の内蔵型ディスプレイ処理装置の出力シグナルによる切換機能を用いるに当たっては極めて不便であった。
【０００５】
これに鑑みて、本出願案件において携帯型情報処理装置の拡張ユニット接続構造を提供して上述の問題解決を試みたい。
【０００６】
【特許文献１】台湾特許公告第２４１９１１号明細書
【考案の開示】
【考案が解決しようとする課題】
【０００７】
本出願案件の主な目的は、携帯型情報処理装置の拡張ユニット接続構造を提供することである。そこには接続コネクタと切換モジュールが含まれ、接続コネクタを用いて携帯型情報処理装置のディスプレイ処理装置と拡張ユニットを互換接続させるものである。接続コネクタでディスプレイ処理装置と接続されることにより、携帯型情報処理装置は切換モジュールを通してディスプレイ処理装置または携帯型情報処理装置に内蔵されたディスプレイ処理装置との切換が可能となり、携帯型情報処理装置の使用上の機能性を上昇させるものである。
【０００８】
上述の目的を達成させるため、本出願案件における携帯型情報処理装置の拡張ユニット接続構造は、コネクタにより携帯型情報処理装置と電気的に接続される。そして、この接続コネクタには第一インターフェースと第二インターフェースが含まれており、使用者は第一インターフェースにおいてディスプレイ処理装置と接続されるか、または第二インターフェースにおいて拡張ユニットと接続されることになる、これによって携帯型情報処理装置本体の厚みや重量を増やすことなく、同一拡張スペースと同一モジュール化のまま、異なるインターフェースの拡張ユニットの互換使用が可能となり、携帯型情報処理装置の拡張機能をアップさせている。このほか、当該携帯型情報処理装置には切換モジュールが設けられており、接続コネクタを用いて高性能ディスプレイ処理装置と接続されるに当たり、切換モジュールを通してディスプレイ処理装置のディスプレイ処理シグナル発信が可能となり、これによって高機能ソフトの執行も可能たらしめ、携帯型情報処理装置の機能性を上昇させることになる。
【０００９】
本出願案件の構造上の特性と達成される機能に対してより深い理解と認識を持っていただくため、典型となる実例を挙げて詳細説明を試みたい。
【課題を解決するための手段】
【００１０】
請求項１の考案は、携帯型情報処理装置の拡張ユニット接続構造において、
携帯型情報処理装置と、
接続コネクタであって、携帯型情報処理装置に接続される接続コネクタであり、第一インターフェースと第二インターフェースを含む。この接続コネクタをもって第一拡張ユニットを第一インターフェースに接続し、第二拡張ユニットを第二インターフェースに接続する、上記接続コネクタと、
を包含することを特徴とする、携帯型情報処理装置の拡張ユニット接続構造としている。
請求項２の考案は、請求項１記載の携帯型情報処理装置の拡張ユニット接続構造において、携帯型情報処理装置は拡張スペースを具備しており、当該接続コネクタはこの拡張スペース内に設けられることを特徴とする、携帯型情報処理装置の拡張ユニット接続構造としている。
請求項３の考案は、請求項１記載の携帯型情報処理装置の拡張ユニット接続構造において、第一インターフェースはＰＣＩ−Ｅｘｐｒｅｓｓ、ＰＣＩ、ＡＧＰ規格を指すことを特徴とする、携帯型情報処理装置の拡張ユニット接続構造としている。
請求項４の考案は、請求項１記載の携帯型情報処理装置の拡張ユニット接続構造において、第二インターフェースはIDE またはＩＳＡ規格を指すことを特徴とする、携帯型情報処理装置の拡張ユニット接続構造としている。
請求項５の考案は、請求項１記載の携帯型情報処理装置の拡張ユニット接続構造において、第一拡張ユニットはディスプレイ処理装置を指すことを特徴とする、携帯型情報処理装置の拡張ユニット接続構造としている。
請求項６の考案は、請求項５記載の携帯型情報処理装置の拡張ユニット接続構造において、ディスプレイ処理装置には切換モジュールが電気的に接続されており、ディスプレイ処理装置と携帯型情報処理装置に内蔵されたディスプレイ処理装置へのシグナル送信切換を行うことを特徴とする、携帯型情報処理装置の拡張ユニット接続構造としている。
請求項７の考案は、請求項６記載の携帯型情報処理装置の拡張ユニット接続構造において、切換モジュールは電子開閉装置を指すことを特徴とする、携帯型情報処理装置の拡張ユニット接続構造としている。
請求項８の考案は、請求項１記載の携帯型情報処理装置の拡張ユニット接続構造において、第一拡張ユニットはＰＣＩ−Ｅｘｐｒｅｓｓインターフェース装置を指すことを特徴とする、携帯型情報処理装置の拡張ユニット接続構造としている。
請求項９の考案は、請求項１記載の携帯型情報処理装置の拡張ユニット接続構造において、第二拡張ユニットは光学文字読取装置を指すことを特徴とする、携帯型情報処理装置の拡張ユニット接続構造としている。
請求項１０の考案は、請求項１記載の携帯型情報処理装置の拡張ユニット接続構造において、携帯型情報処理装置はノートブック式コンピュータを指すことを特徴とする、携帯型情報処理装置の拡張ユニット接続構造としている。
請求項１１の考案は、携帯型情報処理装置の拡張ユニット接続構造において、
携帯型情報処理装置と、
携帯型情報処理装置に接続される第一ディスプレイ処理装置と、
接続コネクタであって、携帯型情報処理装置に接続され、第一インターフェースと第二インターフェースを包含し、この接続コネクタをもって第二ディスプレイ処理装置を第一インターフェースに接続し、拡張ユニットを第二インターフェースに接続する、上記接続コネクタと、
切換モジュールであって、接続コネクタと電気的に接続されており、この接続コネクタでもってディスプレイ処理装置と接続され、第一ディスプレイ処理装置と第二ディスプレイ処理装置へのシグナル発信の切換を行う、切換モジュールと、
を包含したことを特徴とする、携帯型情報処理装置の拡張ユニット接続構造としている。
請求項１２の考案は、請求項１１項記載の携帯型情報処理装置の拡張ユニット接続構造において、携帯型情報処理装置は拡張スペースを具備しており、当該接続コネクタはこの拡張スペース内に設けられることを特徴とする、携帯型情報処理装置の拡張ユニット接続構造としている。
請求項１３の考案は、請求項１１記載の携帯型情報処理装置の拡張ユニット接続構造において、第一インターフェースはＰＣＩ−Ｅｘｐｒｅｓｓ、ＰＣＩ、ＡＧＰ規格を指すことを特徴とする、携帯型情報処理装置の拡張ユニット接続構造としている。
請求項１４の考案は、請求項１１記載の携帯型情報処理装置の拡張ユニット接続構造において、第二インターフェースはＩＤＥ規格を指すことを特徴とする、携帯型情報処理装置の拡張ユニット接続構造としている。
請求項１５の考案は、請求項１１記載の携帯型情報処理装置の拡張ユニット接続構造において、切換モジュールは電子開閉装置を指すことを特徴とする、携帯型情報処理装置の拡張ユニット接続構造としている。
請求項１６の考案は、請求項１１記載の携帯型情報処理装置の拡張ユニット接続構造において、拡張ユニットは光学文字読取装置を指すことを特徴とする、携帯型情報処理装置の拡張ユニット接続構造としている。
請求項１７の考案は、請求項１１記載の携帯型情報処理装置の拡張ユニット接続構造において、携帯型情報処理装置はノートブック式コンピュータを指すことを特徴とする、携帯型情報処理装置の拡張ユニット接続構造としている。
【考案の効果】
【００１１】
以上を総合すると、本出願案件は携帯型情報処理装置の拡張ユニット接続構造に関するものである。本出願案件においては、接続コネクタに第一インターフェースと第二インターフェースが提供され、ディスプレイ処理装置と拡張ユニットに接続されるにより、単一接続コネクタにより携帯型情報処理装置をして異なるインターフェースの二つの拡張ユニットの互換使用を可能とするものである。同時にその接続コネクタによりディスプレイ処理装置と接続されるに当たり、切換モジュールが提供されることによって解析度の異なるディスプレイ処理装置の選択が可能となり、ディスプレイの拡張性を増加させている。
【考案を実施するための最良の形態】
【００１２】
第２図から第４図までは本出願案件の実例の表示図であるが、ＰＣＩ−Ｅｘｐｒｅｓｓインターフェース装置とＩＤＥインターフェース装置が携帯型情報処理装置にそれぞれ接続されている表示図である。図に示すとおり、本実例において携帯型情報処理装置１はノートブック型パソコンであり、それには拡張スペース１０が設けられており、ここには接続コネクタ１２が内蔵されている。この接続コネクタは携帯型情報処理装置１と電気的に接続されており、同時に第一インターフェース１４と第二インターフェース１６を含み、ディスプレイ処理装置１８は第一インターフェース１４と接続され、拡張ユニット２０は第二インターフェース１６と接続されている。ディスプレイ処理装置１８または拡張ユニット２０は拡張スペース１０内に収納されているため、携帯型情報処理装置１においては接続コネクタ１２を通してディスプレイ処理装置１８または拡張ユニット２０との互換使用が可能となる。
【００１３】
上述の第一インターフェース１４はＰＣＩ−Ｅｘｐｒｅｓｓ、ＰＣＩまたはＡＧＰのインターフェース規格であり、ＰＣＩ−Ｅｘｐｒｅｓｓ、ＰＣＩまたはＡＧＰインターフェースのディスプレイ処理装置に接続可能。そして第二インターフェース１６はＩＤＥインターフェース規格であり、ＩＤＥインターフェースの光学文字読取装置に接続可能。
【００１４】
このほか、本出願案件実例のシステム構成図を第５図に示してみた。図示されたように、携帯型情報処理装置は接続コネクタ１２と切換モジュール２２を備えており、接続コネクタ１２には第一インターフェース１４と第二インターフェース１６が含まれる。実例としては、ディスプレイ処理装置１８を第一インターフェース１４に接続することにより、当該装置１８は、たとえばＡＧＰ規格（Ａｃｃｅｌｅｒａｔｅｄ  Ｇｒａｐｈｉｃ  Ｐｏｒｔ）やPCI 規格（Ｐｅｒｉｐｈｅｒａｌ  Ｃｏｍｐｏｎｅｎｔ  Ｉｎｔｅｒｃｏｎｎｅｃｔ）をサポートできるような高機能を有するディスプレイ処理装置とすることができる。；切換モジュール２２は電子開閉装置であり、これは携帯型情報処理装置に内蔵されたディスプレイ処理装置２４と接続コネクタ１２に接続されており、内蔵型ディスプレイ処理装置２４は処理機能が比較的低いディスプレイ処理装置となる。そして切換モジュール２２で切換を行うことにより、内蔵型ディスプレイ処理装置２４またはディスプレイ処理装置１８へのディスプレイ処理シグナルを発信する。
【００１５】
そのうち拡張ユニット２０とディスプレイ処理装置１８はそれぞれ統一モジュール化し拡張スペース１０に対応させることが可能であり、これによって使用者は単一モジュール内において切換可能となる。
【００１６】
さらに切換モジュール２２とディスプレイ装置２６を電気的に接続することにより、切換されたディスプレイ処理シグナルの発信が可能となり、使用者は切換モジュール２２と接続コネクタ１２を通して、異なる機能を持つディスプレイ処理装置を自由に選択したり拡張することが可能となる。
【００１７】
以上を総合すると、本出願案件は携帯型情報処理装置の拡張ユニット接続構造に関するものである。本出願案件においては、接続コネクタに第一インターフェースと第二インターフェースが提供され、ディスプレイ処理装置と拡張ユニットに接続されるにより、単一接続コネクタにより携帯型情報処理装置をして異なるインターフェースの二つの拡張ユニットの互換使用を可能とするものである。同時にその接続コネクタによりディスプレイ処理装置と接続されるに当たり、切換モジュールが提供されることによって解析度の異なるディスプレイ処理装置の選択が可能となり、ディスプレイの拡張性を増加させている。
【図面の簡単な説明】
【００１８】
【図１】従来型ノートブック式コンピュータにおける拡張ユニット接続の表示図である。
【図２】本出願案件における典型例の表示図である。
【図３】本出願案件における携帯型情報処理装置のＰＣＩ−Ｅｘｐｒｅｓｓインターフェース装置接続表示図である。
【図４】本出願案件における携帯型情報処理装置のＩＤＥインターフェース装置接続表示図である。
【図５】本出願案件におけるシステム構成図である。
【符号の説明】
【００１９】
１'   ノートブック式コンピュータ            １０'   スペース
１２'   ソフトディスク接続コネクタ          １４'   ハードディスク接続コネクタ
１６'   ハードディスクドライブ              １  携帯型情報処理装置
１０    拡張スペース                        １２    接続コネクタ
１４    第一インターフェース                １６    第二インターフェース
１８    ディスプレイ処理装置                ２０    拡張ユニット
２２    切換モジュール                      ２４    内蔵型ディスプレイ処理装置
２６    ディスプレイ装置
【図１】
0003119979.tif 000003
【図２】
0003119979.tif 000004
【図３】
0003119979.tif 000005
【図４】
0003119979.tif 000006
【図５】
0003119979.tif 000007
【手続補正書】
【提出日】平成18年1月19日(2006.1.19)
【手続補正１】
【補正対象書類名】実用新案登録請求の範囲
【補正対象項目名】全文
【補正方法】変更
【補正の内容】
【実用新案登録請求の範囲】
【請求項１】
携帯型情報処理装置の拡張ユニット接続構造において、
携帯型情報処理装置と、
接続コネクタであって、携帯型情報処理装置に接続される接続コネクタであり、第一インターフェースと第二インターフェースを含む、この接続コネクタをもって第一拡張ユニットを第一インターフェースに接続し、第二拡張ユニットを第二インターフェースに接続する、上記接続コネクタと、
を包含することを特徴とする、携帯型情報処理装置の拡張ユニット接続構造。
【請求項２】
請求項１記載の携帯型情報処理装置の拡張ユニット接続構造において、携帯型情報処理装置は拡張スペースを具備しており、当該接続コネクタはこの拡張スペース内に設けられることを特徴とする、携帯型情報処理装置の拡張ユニット接続構造。
【請求項３】
請求項１記載の携帯型情報処理装置の拡張ユニット接続構造において、第一インターフェースはＰＣＩ−Ｅｘｐｒｅｓｓ、ＰＣＩ、ＡＧＰ規格を指すことを特徴とする、携帯型情報処理装置の拡張ユニット接続構造。
【請求項４】
請求項１記載の携帯型情報処理装置の拡張ユニット接続構造において、第二インターフェースはＩＤＥまたはＩＳＡ規格を指すことを特徴とする、携帯型情報処理装置の拡張ユニット接続構造。
【請求項５】
請求項１記載の携帯型情報処理装置の拡張ユニット接続構造において、第一拡張ユニットはディスプレイ処理装置を指すことを特徴とする、携帯型情報処理装置の拡張ユニット接続構造。
【請求項６】
請求項５記載の携帯型情報処理装置の拡張ユニット接続構造において、ディスプレイ処理装置には切換モジュールが電気的に接続されており、ディスプレイ処理装置と携帯型情報処理装置に内蔵されたディスプレイ処理装置へのシグナル送信切換を行うことを特徴とする、携帯型情報処理装置の拡張ユニット接続構造。
【請求項７】
請求項６記載の携帯型情報処理装置の拡張ユニット接続構造において、切換モジュールは電子開閉装置を指すことを特徴とする、携帯型情報処理装置の拡張ユニット接続構造。
【請求項８】
請求項１記載の携帯型情報処理装置の拡張ユニット接続構造において、第一拡張ユニットはＰＣＩ−Ｅｘｐｒｅｓｓインターフェース装置を指すことを特徴とする、携帯型情報処理装置の拡張ユニット接続構造。
【請求項９】
請求項１記載の携帯型情報処理装置の拡張ユニット接続構造において、第二拡張ユニットは光学文字読取装置を指すことを特徴とする、携帯型情報処理装置の拡張ユニット接続構造。
【請求項１０】
請求項１記載の携帯型情報処理装置の拡張ユニット接続構造において、携帯型情報処理装置はノートブック式コンピュータを指すことを特徴とする、携帯型情報処理装置の拡張ユニット接続構造。
【請求項１１】
携帯型情報処理装置の拡張ユニット接続構造において、
携帯型情報処理装置と、
携帯型情報処理装置に接続される第一ディスプレイ処理装置と、
接続コネクタであって、携帯型情報処理装置に接続され、第一インターフェースと第二インターフェースを包含し、この接続コネクタをもって第二ディスプレイ処理装置を第一インターフェースに接続し、拡張ユニットを第二インターフェースに接続する、上記接続コネクタと、
切換モジュールであって、接続コネクタと電気的に接続されており、この接続コネクタでもってディスプレイ処理装置と接続され、第一ディスプレイ処理装置と第二ディスプレイ処理装置へのシグナル発信の切換を行う、切換モジュールと、
を包含したことを特徴とする、携帯型情報処理装置の拡張ユニット接続構造。
【請求項１２】
請求項１１項記載の携帯型情報処理装置の拡張ユニット接続構造において、携帯型情報処理装置は拡張スペースを具備しており、当該接続コネクタはこの拡張スペース内に設けられることを特徴とする、携帯型情報処理装置の拡張ユニット接続構造。
【請求項１３】
請求項１１記載の携帯型情報処理装置の拡張ユニット接続構造において、第一インターフェースはＰＣＩ−Ｅｘｐｒｅｓｓ、ＰＣＩ、ＡＧＰ規格を指すことを特徴とする、携帯型情報処理装置の拡張ユニット接続構造。
【請求項１４】
請求項１１記載の携帯型情報処理装置の拡張ユニット接続構造において、第二インターフェースはＩＤＥ規格を指すことを特徴とする、携帯型情報処理装置の拡張ユニット接続構造。
【請求項１５】
請求項１１記載の携帯型情報処理装置の拡張ユニット接続構造において、切換モジュールは電子開閉装置を指すことを特徴とする、携帯型情報処理装置の拡張ユニット接続構造。
【請求項１６】
請求項１１記載の携帯型情報処理装置の拡張ユニット接続構造において、拡張ユニットは光学文字読取装置を指すことを特徴とする、携帯型情報処理装置の拡張ユニット接続構造。
【請求項１７】
請求項１１記載の携帯型情報処理装置の拡張ユニット接続構造において、携帯型情報処理装置はノートブック式コンピュータを指すことを特徴とする、携帯型情報処理装置の拡張ユニット接続構造。
【手続補正２】
【補正対象書類名】明細書
【補正対象項目名】００１０
【補正方法】変更
【補正の内容】
【００１０】
請求項１の考案は、携帯型情報処理装置の拡張ユニット接続構造において、
携帯型情報処理装置と、
接続コネクタであって、携帯型情報処理装置に接続される接続コネクタであり、第一インターフェースと第二インターフェースを含む、この接続コネクタをもって第一拡張ユニットを第一インターフェースに接続し、第二拡張ユニットを第二インターフェースに接続する、上記接続コネクタと、
を包含することを特徴とする、携帯型情報処理装置の拡張ユニット接続構造としている。
請求項２の考案は、請求項１記載の携帯型情報処理装置の拡張ユニット接続構造において、携帯型情報処理装置は拡張スペースを具備しており、当該接続コネクタはこの拡張スペース内に設けられることを特徴とする、携帯型情報処理装置の拡張ユニット接続構造としている。
請求項３の考案は、請求項１記載の携帯型情報処理装置の拡張ユニット接続構造において、第一インターフェースはＰＣＩ−Ｅｘｐｒｅｓｓ、ＰＣＩ、ＡＧＰ規格を指すことを特徴とする、携帯型情報処理装置の拡張ユニット接続構造としている。
請求項４の考案は、請求項１記載の携帯型情報処理装置の拡張ユニット接続構造において、第二インターフェースはＩＤＥまたはＩＳＡ規格を指すことを特徴とする、携帯型情報処理装置の拡張ユニット接続構造としている。
請求項５の考案は、請求項１記載の携帯型情報処理装置の拡張ユニット接続構造において、第一拡張ユニットはディスプレイ処理装置を指すことを特徴とする、携帯型情報処理装置の拡張ユニット接続構造としている。
請求項６の考案は、請求項５記載の携帯型情報処理装置の拡張ユニット接続構造において、ディスプレイ処理装置には切換モジュールが電気的に接続されており、ディスプレイ処理装置と携帯型情報処理装置に内蔵されたディスプレイ処理装置へのシグナル送信切換を行うことを特徴とする、携帯型情報処理装置の拡張ユニット接続構造としている。
請求項７の考案は、請求項６記載の携帯型情報処理装置の拡張ユニット接続構造において、切換モジュールは電子開閉装置を指すことを特徴とする、携帯型情報処理装置の拡張ユニット接続構造としている。
請求項８の考案は、請求項１記載の携帯型情報処理装置の拡張ユニット接続構造において、第一拡張ユニットはＰＣＩ−Ｅｘｐｒｅｓｓインターフェース装置を指すことを特徴とする、携帯型情報処理装置の拡張ユニット接続構造としている。
請求項９の考案は、請求項１記載の携帯型情報処理装置の拡張ユニット接続構造において、第二拡張ユニットは光学文字読取装置を指すことを特徴とする、携帯型情報処理装置の拡張ユニット接続構造としている。
請求項１０の考案は、請求項１記載の携帯型情報処理装置の拡張ユニット接続構造において、携帯型情報処理装置はノートブック式コンピュータを指すことを特徴とする、携帯型情報処理装置の拡張ユニット接続構造としている。
請求項１１の考案は、携帯型情報処理装置の拡張ユニット接続構造において、
携帯型情報処理装置と、
携帯型情報処理装置に接続される第一ディスプレイ処理装置と、
接続コネクタであって、携帯型情報処理装置に接続され、第一インターフェースと第二インターフェースを包含し、この接続コネクタをもって第二ディスプレイ処理装置を第一インターフェースに接続し、拡張ユニットを第二インターフェースに接続する、上記接続コネクタと、
切換モジュールであって、接続コネクタと電気的に接続されており、この接続コネクタでもってディスプレイ処理装置と接続され、第一ディスプレイ処理装置と第二ディスプレイ処理装置へのシグナル発信の切換を行う、切換モジュールと、
を包含したことを特徴とする、携帯型情報処理装置の拡張ユニット接続構造としている。
請求項１２の考案は、請求項１１項記載の携帯型情報処理装置の拡張ユニット接続構造において、携帯型情報処理装置は拡張スペースを具備しており、当該接続コネクタはこの拡張スペース内に設けられることを特徴とする、携帯型情報処理装置の拡張ユニット接続構造としている。
請求項１３の考案は、請求項１１記載の携帯型情報処理装置の拡張ユニット接続構造において、第一インターフェースはＰＣＩ−Ｅｘｐｒｅｓｓ、ＰＣＩ、ＡＧＰ規格を指すことを特徴とする、携帯型情報処理装置の拡張ユニット接続構造としている。
請求項１４の考案は、請求項１１記載の携帯型情報処理装置の拡張ユニット接続構造において、第二インターフェースはＩＤＥ規格を指すことを特徴とする、携帯型情報処理装置の拡張ユニット接続構造としている。
請求項１５の考案は、請求項１１記載の携帯型情報処理装置の拡張ユニット接続構造において、切換モジュールは電子開閉装置を指すことを特徴とする、携帯型情報処理装置の拡張ユニット接続構造としている。
請求項１６の考案は、請求項１１記載の携帯型情報処理装置の拡張ユニット接続構造において、拡張ユニットは光学文字読取装置を指すことを特徴とする、携帯型情報処理装置の拡張ユニット接続構造としている。
請求項１７の考案は、請求項１１記載の携帯型情報処理装置の拡張ユニット接続構造において、携帯型情報処理装置はノートブック式コンピュータを指すことを特徴とする、携帯型情報処理装置の拡張ユニット接続構造としている。